(57)【要約】【課題】  液晶テレビなどの薄型表示装置のスタンドを構成するスタンドベースの中央部近傍に取り付けられた該スタンドベースの底面からの突出量の低いクッションの下面およびテーブル面間に間隙が生じることによる外観品位の低下を防止する手段を提供する。【解決手段】  表示装置のスタンドベース底面およびテーブル面などの載置面が当接する該スタンドベース底面の中央部近傍に異なる硬度を有する複数の部材を積層し形成したクッション、下面および該クッションの上面が傾斜角を有するよう形成したクッションまたは下面に線状または点状などの突起を形成したクッションを配設し、該スタンドベースの外周部には相対的に高い硬度のクッションを配設する。【選択図】  図４
2007086240.tif 000002
【特許請求の範囲】
【請求項１】
薄型表示装置の表示部本体を支持し設置するためのスタンドにおいて、該スタンドを構成するスタンドベース底面又は該スタンドベース底面が載置面と当接する面の少なくともいずれか一方の面に異なる硬度の複数のクッションを取り付けたことを特徴とする薄型表示装置のスタンド。
【請求項２】
請求項１に記載の薄型表示装置のスタンドにおいて、該スタンドを構成するスタンドベースおよびテーブルなどの載置面が当接する該スタンドベース底面に取り付けた一部のクッションを異なる硬度を有する複数の部材を積層し形成したことを特徴とする薄型表示装置のスタンド。
【請求項３】
請求項１に記載の薄型表示装置のスタンドにおいて、該スタンドを構成するスタンドベースおよびテーブルなどの載置面が当接する該スタンドベース底面に取り付けた一部のクッションの下面および上面が傾斜角を有するよう形成したことを特徴とする薄型表示装置のスタンド。
【請求項４】
請求項１に記載の薄型表示装置のスタンドにおいて、該スタンドを構成するスタンドベースおよびテーブルなどの載置面が当接する該スタンドベース底面に取り付けた一部のクッションの下面に波状または点状の突起部を形成したことを特徴とする薄型表示装置のスタンド。
【発明の詳細な説明】
【技術分野】
【０００１】
本発明は、液晶表示パネルやＰＤＰを表示素子とするテレビやデータディスプレイなどの薄型表示装置を卓上型または据え置き型として使用する場合、該薄型表示装置の表示部本体を支持するスタンドに関する。詳しくは該スタンドを構成するスタンドベース底面およびテーブルなどの載置面が当接する該スタンドベース底面に取り付けられたクッションの構造に関する。
【背景技術】
【０００２】
従来のブラウン管を表示素子とする表示装置に比し、大型表示画面、高画質、薄型化による省スペースなどの多くの優位性を有する液晶表示パネルやＰＤＰなどを表示素子とするテレビやディスプレイなどの薄型表示装置の需要が急速に増大しつつある。需要の広がりに伴い多様な外観意匠の薄型表示装置が製品化されているが、薄型の特徴を強調するために該薄型表示装置の表示部本体を支持するスタンドや該スタンドを構成するスタンドベースのデザインにおいてもバルキーな印象を与えない配慮がなされている。しかしながら該スタンドベースの小型化のために奥行き寸法を過剰に小さくした場合はスタンドとしての安定性を欠き、該薄型表示装置が前方または後方へ転倒する事故を惹起する危険を伴う。
【０００３】
前記スタンドベースの奥行き寸法を小さくした上で、薄型表示装置の設置環境に応じ該スタンドベースの一部を後方または前方に引き出し延長し、該薄型表示装置の設置時に該スタンドベースの奥行き寸法を調整可能な構造とする発明が特許文献１または特許文献２により提案されている。しかしながら表示装置本体が薄型であるにも拘わらずスタンドベースの一部を後方または前方に引き出した状態ではスタンドベースがバルキーな印象を与え薄型表示装置全体としての薄型イメージを損なう。この対応のため図１または図２に示すごとくスタンドベース平面に「ブーメラン」形状を適用することにより薄型表示装置を安定に支持するに必要な奥行き寸法を確保しながらバルキーな印象を軽減したスタンドベースを実現することが可能であるが、スタンドベースとしての剛性にやや欠ける。
【０００４】
薄型表示装置をテーブル面に載置することによりスタンドベース底面が当接するテーブル面に打痕や擦り傷を発生させないため、またはテーブル面からの該薄型表示装置の滑落事故防止のため図２（ｃ）に示すスタンドベース６ａ底面の外周部に配設されたクッション取り付け部６ｅおよびスタンドベース６ａ底面の中央部近傍に配設されたクッション取り付け部６ｄに図７に示す接着部材１３ａおよび緩衝部材１３ｂにより構成されるクッション１３が取り付けられる。
【０００５】
該薄型表示装置をテーブル面に設置する過渡時に、図８に示すごとく薄型表示装置の表示部本体の重心「Ｇ」からの垂線およびスタンドベース６ａの交点であるスタンドベースの中央部近傍への動荷重により、該スタンドベースが微視的な撓みを発生し、図２（ｃ）に示すスタンドベース６ａ底面の第１のクッション取り付け部６ｄに取り付けられたクッション１３がテーブル８と当接する点が支点となりスタンドベース６ａ外周部の左右両端および該スタンドベース６ａ底面の第２のクッション取り付け部６ｅに取り付けられたクッション１３が図８中の鎖線矢印で示すごとくテーブル８の載置面から浮き上がる事がある。このため第１のクッション取り付け部６ｄに取り付けられたクッション１３の底面は、第２のクッション取り付け部６ｅに取り付けられたクッション１３よりもスタンドベース６ａの底面からの突出寸法を低くなるよう設定している。
【０００６】
しかしながら、薄型表示装置をテーブル面に設置後は前記の設置時のみにスタンドベース６ａに加えられる瞬間的な動的荷重は取り除かれ、スタンドベースには表示部本体の静荷重が加えられるためスタンドベースの弾性により該スタンドベースの撓みは消失し、該スタンドベースの底面は平面状に復元する。この状態ではスタンドベース６ａの外周部に配設された第２のクッション取り付け部６ｅに取り付けられたクッション１３の下面がテーブル８の載置面に当接し、スタンドベース６ａの底面からの突出寸法を低く設定した第１のクッション取り付け部６ｄに取り付けられたクッション１３の下面およびテーブル８間に間隙を生じ外観上の品位低下を招く。
【特許文献１】特開２０００−４７５９９号公報
【特許文献２】特開２００１−３４１７９号公報
【発明の開示】
【発明が解決しようとする課題】
【０００７】
薄型表示装置をテーブル面に設置する過渡時にはスタンドベースに瞬間的な動的荷重が加えられ、該スタンドベースが微視的な撓みを発生し、該スタンドベース底面の中央部近傍に取り付けられたクッションが支点となり該スタンドベースの外周部の両端がテーブルなどの載置面から浮き上がることがあるため、スタンドベース底面からの該スタンドベースの中央部近傍のクッションの突出寸法を外周部のクッションより低く設定しているが、該スタンドベース中央部のクッションの下面およびテーブル間に間隙を生じ外観品位を損なう。
【課題を解決するための手段】
【０００８】
液晶テレビやデータディスプレイなどの表示装置を卓上型または据え置き型として使用する場合の該表示装置の表示部本体を支持するスタンドにおいて、該スタンドを構成するスタンドベース底面およびテーブルなどの載置面が当接する該スタンドベース底面に異なる硬度の複数のクッションを取り付ける。
【０００９】
前記表示装置のスタンドにおいて、該スタンドを構成するスタンドベース底面およびテーブルなどの載置面が当接する該スタンドベース底面に異なる硬度を有する複数の部材を積層し形成したクッションを取り付ける。
【００１０】
前記表示装置のスタンドにおいて、該スタンドを構成するスタンドベース底面およびテーブルなどの載置面が当接する該スタンドベース底面に取り付けたクッションの下面および上面が傾斜角を有するよう形成する。
【００１１】
前記表示装置のスタンドにおいて、該スタンドを構成するスタンドベース底面およびテーブルなどの載置面に当接する該スタンドベース底面に取り付けたクッションの下面に線状または点状などの突起部を形成する。
【発明の効果】
【００１２】
薄型表示装置をテーブル面に設置する過渡時にはスタンドベースに瞬間的な動的荷重が加えられ、該スタンドベースが微視的な撓みを発生し、該スタンドベース底面の中央部近傍に取り付けられたクッションが支点となり該スタンドベースの外周部が載置面から浮き上がることがあるが、スタンドベース底面の中央部近傍に本願による構造を有するクッションを取り付けることによりクッションが縮厚することによりスタンドベースの撓み発生を防止することが出来る。
【発明を実施するための最良の形態】
【００１３】
以下、図に基づき本発明の実施形態を液晶テレビにより説明する。図１（ａ）は液晶テレビの上面図、図１（ｂ）は正面図、図１（ｃ）は側面図である。図中の１は液晶テレビ本体、２は画像を表示するための液晶表示パネル、３はスピーカユニットで液晶表示パネル２の左右に対象的に配設されている。４はキャリングハンドル、５はキャビネット、６は液晶テレビを卓上型として使用する場合に液晶テレビ本体１を支持するためのスタンドである。
【００１４】
液晶テレビを卓上型としてテーブル面に載置し使用する場合には、図２（ａ）の上面斜視図および図２（ｂ）の正面図に示すごとくスタンド支柱部６ｂが短いスタンド６が適用され、該液晶テレビを床上に設置し据え置き型とする場合にはスタンド支柱部６ｂの長いスタンド（図示せず）が適用される。該スタンド支柱部６ｂは図２（ｃ）に示すスタンドベース６ａの底面に穿設された支柱部取り付け螺子挿通孔６ｃに挿通した螺子（図示せず）によりスタンドベース６ａに締結される。
【００１５】
前記スタンドベース６ａは熱可塑性樹脂の成型加工により形成され、該スタンドベース６ａを補強するため該スタンドベース６ａの底面には図３に示す金属部材を平板状に打ち抜き形成した補強板７に穿設された取り付け螺子挿通孔７ｆに螺子を挿通し、図２（ｃ）に示すスタンドベース６ａの底面に形成された補強板取り付け孔６ｆに螺着される。該補強板７をスタンドベース６ａの底面に螺着することにより該スタンドベース６ａの底面に形成された第１のクッション取り付け部６ｄおよび第２のクッション取り付け部６ｅを隠蔽させないために該補強板７にはクッション逃げ部７ｄが形成されている。
【００１６】
図４は本発明の第１の実施形態を示す積層型クッション１０の上面斜視図である。該積層型クッション１０の上層は接着部材１０ａ、中間層は緩衝部材１０ｂにより構成され両層の厚さの和をｔ２としている。前記２層に加え下層として軟質緩衝部材１０ｃがさらに積層され、３層合計の厚み寸法をｔ１としている。該積層型クッション１０は図２（ｃ）に示すスタンドベース６ａの中央部近傍の第１のクッション取り付け部６ｄに取り付けられるが、該スタンドベース６ａ外周部の第２のクッション取り付け部６ｅには図７に示す厚さ寸法がｔ１の従来例のクッション１３が取り付けられる。
【００１７】
前述のごとくスタンドベース６ａの底面の中央部近傍には軟質緩衝部材１０ｃを有する積層型クッション１０を、該スタンドベース６ａの外周部には図７に示す相対的に硬度の高い緩衝部材１３ｂにより構成された従来例のクッション１３を配設する。薄型表示装置をテーブル面上に設置する過渡時にはスタンドベース中央部に瞬間的な動荷重が加えられ、該スタンドベース６ａの底面中央部近傍に配設された積層型クッション１０を構成する軟質緩衝部材１０ｃが容易に縮厚し、該スタンドベース６ａ外周部の両端部が浮き上がることはない。また、設置後に該スタンドベース６ａの動荷重が取り去られ、表示部本体の静荷重が加えられている状態では積層型クッション１０を構成する軟質緩衝部材１０ｃが復元し、該積層型クッション１０の下面およびテーブル面間に間隙を生ずることはなく外観面での品位を損なうこともない。
【００１８】
図５は本発明の第２の実施形態を示す面傾斜型クッション１１である。図５（ａ）は上面斜視図、図５（ｂ）は図５（ａ）中に鎖線で示す切断線Ａ−Ａに沿って切断した縦断面図である。該面傾斜型クッション１１の上層は接着部材１１ａ、下層は面傾斜型緩衝部材１１ｂにより構成されている。該面傾斜型緩衝部材１１ｂは図５（ｂ）の縦断面図に示すごとく厚肉部１１ｂａの厚さ寸法をｔ１、薄肉部１１ｂｂの厚さ寸法をｔ２とし、ｔ１>ｔ２の関係としている。該面傾斜型クッション１１は厚肉部１１ｂａをスタンドベース６ａ前面の視聴者側に向け、該スタンドベース６ａ中央部近傍の第１のクッション取り付け部６ｄに配設されるが、該スタンドベース６ａ外周部の第２のクッション取り付け部６ｅには図７に示す厚さ寸法がｔ１の従来例のクッション１３が取り付けられる。
【００１９】
前述のごとくスタンドベース６ａの底面の中央部近傍には厚さ寸法がｔ１>ｔ２の関係を有する面傾斜型クッション１１を、該スタンドベース６ａの外周部には図７に示す厚さ寸法がｔ１の従来例のクッション１３を配設することにより、薄型表示装置をテーブル面に設置する過渡時にスタンドベース中央部に瞬間的な動荷重が加えられた場合、該スタンドベース６ａの底面中央部近傍に配設された面傾斜型クッション１１の厚肉部１１ｂａが容易に縮厚し、該スタンド６ａの端部が浮き上がることはない。また、設置後に該スタンドベース６ａの動荷重が取り去られ、表示部本体の静荷重が加えられている状態では面傾斜型クッション１１が復元し、該面傾斜型クッション１１の下面およびテーブル面間に間隙を生ずることはなく外観面での品位を損なうこともない。
【００２０】
図６は本発明の第３の実施形態を示す面突起型クッション１２の図６(ａ)は下面斜視図、図６（ｂ）は図６（ａ）中の鎖線Ｂ−Ｂに沿って切断した縦断面図である。該面突起型クッション１２は上層が接着部材１２ａ、中間層が緩衝部材１２ｂにより構成され両層の厚さの和をｔ２としている。さらに下層は中間層を構成する該緩衝部材１２ｂと一体で線状に形成された線状緩衝部材１２ｃにより構成され、３層合計の厚み寸法をｔ１としている。該面突起型クッション１２は図２（ｃ）に示すスタンドベース６ａの中央部近傍の第１のクッション取り付け部６ｄに取り付けられるが、該スタンドベース６ａ外周部の第２のクッション取り付け部６ｅには図７に示す厚さ寸法がｔ１の従来例のクッション１３が取り付けられる。
【００２１】
前述のごとくスタンドベース６ａの底面の中央部近傍には厚さ寸法がｔ１>ｔ２の関係を有する面突起型クッション１２を、該スタンドベース６ａの外周部には図７に示す厚さ寸法がｔ１の従来例のクッション１３を配設することにより、薄型表示装置をテーブル面に設置する過渡時にスタンドベース中央部に瞬間的な動荷重が加えられた場合においても、該スタンドベース６ａの底面中央部近傍に配設された面突起型クッション１２の線状緩衝部材１２ｃが容易に縮厚し、該スタンドベース６ａ外周部の両端部が浮き上がることはない。また、設置後に該スタンドベース６ａの動荷重が取り去られ、表示部本体の静荷重が加えられている状態では該スタンドベース６ａの底面中央部近傍に配設された面突起型クッション１２が復元し、該面突起型クッション１２の下面およびテーブル面間に間隙を生ずることはなく外観面での品位を損なうこともない。該面突起型クッションの下層は線状に限定せず多数の点状突起を形成しても同様に有効である。
【図面の簡単な説明】
【００２２】
【図１】図１（ａ）は本発明に係わる液晶テレビの上面図、図１（ｂ）は正面図、図１（ｃ）は側面図である。
【図２】図２（ａ）は本発明に係わる液晶テレビのスタンドの上面斜視図、図２（ｂ）は同正面図、図２（ｃ）は同底面図である。
【図３】本発明に係わる液晶テレビのスタンドベース底面に取り付けられる補強板の平面図である。
【図４】本発明の第１の実施形態を示す積層型クッションの上面斜視図である。
【図５】本発明の第２の実施形態を示す面傾斜型クッションの図５（ａ）は上面斜視図、図５（ｂ）は図５（ａ）中に鎖線で示す切断線Ａ−Ａに沿って切断した縦断面図である。
【図６】本発明の第３の実施形態を示す面突起型クッションの図６(ａ)は下面斜視図、図６（ｂ）は図６（ａ）中の鎖線Ｂ−Ｂに沿って切断した縦断面図である。
【図７】クッションの従来例を示す上面斜視図である。
【図８】液晶テレビをテーブル面上に設置時に該液晶テレビの動荷重がテーブルベース中央に加えられ発生する該テーブルベースの撓みにより該テーブルベース底面の両端が浮き上がる状態のイメージ図である。
【符号の説明】
【００２３】
１：  液晶テレビ本体
２：  液晶表示パネル
３：  スピーカユニット
４：  キャリングハンドル
５：  キャビネット
６：  スタンド
６ａ：  スタンドベース
６ｂ：  スタンド支柱部
６ｃ：  支柱部取り付け螺子挿通孔
６ｄ：  第１のクッション取り付け部
６ｅ：  第２のクッション取り付け部
６ｆ：  補強板取り付け孔
７：  補強板
７ｄ：  クッション逃げ部
７ｆ：  取り付け螺子挿通孔
８：  テーブル
１０：  積層型クッション
１０ａ：  接着部材
１０ｂ：  緩衝部材
１０ｃ：  軟質緩衝部材
１１：  面傾斜型クッション
１１ａ：  接着部材
１１ｂ：  面傾斜型緩衝部材
１１ｂａ：  厚肉部
１１ｂｂ：  薄肉部
１２：  面突起型クッション
１２ａ：  接着部材
１２ｂ：  緩衝部材
１２ｃ：  線状緩衝部材
１３：  クッション
１３ａ：  接着部材
１３ｂ：  緩衝部材
【図１】
2007086240.tif 000003
【図２】
2007086240.tif 000004
【図３】
2007086240.tif 000005
【図４】
2007086240.tif 000006
【図５】
2007086240.tif 000007
【図６】
2007086240.tif 000008
【図７】
2007086240.tif 000009
【図８】
2007086240.tif 000010